【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
塊状の金属および／またはアロイの電気化学的な試験システムにおいて、
塊状の提供される金属および／またはアロイの小片を分離するように構成されるセパレーターステーションと、
前記金属および／またはアロイの個々の小片を特定の方向に移動するように構成されるコンベヤシステムと、
前記コンベヤシステムから前記金属および／またはアロイの個々の小片を移動するように構成される移動システムと、
前記移動システムから前記金属および／またはアロイの個々の小片を受け入れ、受け入れた前記金属および／またはアロイの個々の小片を保持するように構成される保持ステーションと、
前記保持ステーション上の前記金属および／またはアロイの個々の小片について、前記金属および／またはアロイの個々の小片の特徴を同定する試験を行うように構成される電気化学的なプローブシステムと、
前記試験された金属および／またはアロイの個々の小片を、前記保持ステーションから前記試験の結果に基づく位置へと除去するように構成される第２の移動システムとを備える、塊状の金属および／またはアロイの電気化学的な試験システム。
【請求項２】
前記電気化学的なプローブシステムは、導電性の試験プローブと、電解質と、前記電解質を保有する非導電性の膜とをさらに備え、前記膜は、膜電解質担体を介し、前記試験電極プローブと、前記金属および／またはアロイの個々の小片のいずれかとの間に与えられる、請求項１に記載の試験システム。
【請求項３】
前記膜電解質担体は、前記膜のきれいな部分と前記試験プローブ電極とが確実に相互作用するように前記膜を選択的に移動する、請求項２に記載の試験システム。
【請求項４】
前記膜の１つの吸収性部分に保有される電解質が、当該膜の別の吸収性部分に吸い上げられないような関係で、前記膜が、吸収性部分および非吸収性部分の両方で構成される、請求項３に記載の試験システム。
【請求項５】
前記電気化学的なプローブシステムは、導電性の試験プローブと、電解質と、前記電解質を保有する非導電性の膜と、電解質保有管とをさらに備え、前記試験プローブは、前記電解質保有管内に位置し、前記膜は、前記電解質保有管の底部の少なくとも一部を覆う、請求項１に記載の試験システム。
【請求項６】
前記セパレーターステーションが、シェーカーテーブル、セパレーターピックおよびプレイスシステムの少なくとも１つとして構成される、請求項１に記載の試験システム。
【請求項７】
ローラー配列および金属プレス配列の少なくとも１つとして構成される、金属および／またはアロイを整列するステーションをさらに備える、請求項１に記載の試験システム。
【請求項８】
前記保持ステーションは、ある特定の金属および／またはアロイを所定位置に固定するために一緒に作用するように配置される、空気圧によって駆動して指し示す複数の金属プローブをさらに備える、請求項１に記載の試験システム。
【請求項９】
前記保持ステーションは、前記金属および／またはアロイの個々の小片を洗浄するための洗浄ステーションをさらに備える、請求項１に記載の試験システム。
【請求項１０】
前記電気化学的なプローブシステムは、電解質を含む導電性の試験プローブカートリッジと、前記電解質を内側に保持する管と、導電性の試験プローブと、非導電性の膜とをさらに備え、前記管は、第１の開口部と第２の開口部を有し、前記第１の開口部は、前記管の内側を前記試験プローブが通過することができる大きさであり、前記管の前記第２の開口部は、前記膜の少なくとも一部を挿入し、前記膜を通って前記電解質のための選択的な流路を与えることができる大きさである、請求項１に記載の試験システム。
【請求項１１】
前記試験プローブカートリッジは、測定された量の前記電解質が、前記管の内側から前記膜内に入り通過することができるようなバルブ配置をさらに備える、請求項１０に記載の試験システム。
【請求項１２】
単一本体構造に組み込まれる複数の試験プローブカートリッジおよび共通電極をさらに備える、請求項１０に記載の試験システム。
【請求項１３】
前記単一本体構造に組み込まれる前記複数の試験プローブカートリッジおよび前記共通電極がバネ荷重されて、試験されている前記金属および／またはアロイと操作可能に係合するように移動するようになっている、請求項１２に記載の試験システム。
【請求項１４】
前記単一本体構造は、前記試験プローブカートリッジおよび前記システム電極の通過を可能にする開口部と、前記金属および／またはアロイの表面への密閉接触を可能にする密閉ガスケットとを有する平坦な底面を備える、請求項１２に記載の試験システム。
【請求項１５】
前記試験プローブカートリッジは、前記試験プローブカートリッジに関連する情報データを通信するためのオンボード通信構成要素を備える、請求項１０に記載の試験システム。
【請求項１６】
前記試験プローブカートリッジから前記情報データを受信し、ユーザーに前記情報データを提供するための演算および通信構成要素をさらに備える、請求項１５に記載の試験システム。
【請求項１７】
前記試験プローブカートリッジに情報データを入力し、前記試験プローブカートリッジから情報データを受信するための演算および通信構成要素をさらに備える、請求項１５に記載の試験システム。
【請求項１８】
前記電解質を前記管の前記第１の開口部内に供給するための電解質のオフボード容器をさらに備える、請求項１０に記載の試験システム。
【請求項１９】
前記電気化学的なプローブシステムは、システム電極および導電性の試験プローブ電極と電気的に接続している電気信号発生デバイスをさらに備え、前記電気信号発生装置は、非対称励起を発生させるように構成される、請求項１に記載の試験システム。
【請求項２０】
塊状の金属および／またはアロイの電気化学的な試験を行う方法であって、
セパレーターステーションによって、塊状で与えられる金属および／またはアロイの個々の小片を分離することと、
コンベヤシステムによって、前記金属および／またはアロイの個々の小片を特定の方向に運ぶことと、
移動システムによって、前記コンベヤシステムから前記金属および／またはアロイの個々の小片を移動することと、
保持ステーションによって、前記移動システムから受け入れた前記金属および／またはアロイの個々の小片を保持することと、
電気化学的なプローブシステムによって、前記保持ステーション上の前記金属および／またはアロイの個々の小片について、前記金属および／またはアロイの個々の小片の特徴を同定する試験を行うことと、
第２の移動システムによって、前記試験された金属および／またはアロイの個々の小片を、前記保持ステーションから前記試験の結果に基づく位置へと除去するための第２の移動を行うこととを含む、方法。
【手続補正２】
【補正対象書類名】明細書
【補正対象項目名】００７４
【補正方法】変更
【補正の内容】
【００７４】
特定の実施形態において、管１３０２は、電解質で満たされる必要はなく、むしろ、電解質は、管１３０２を完全に満たすことなく、膜先端１３０４が濡れたままに維持されるような速度で、場外の（オフボード）容器１３１４および入力ライン１３１６から場外のポンプ１３１２によって供給されてもよい。
【手続補正３】
【補正対象書類名】明細書
【補正対象項目名】００９６
【補正方法】変更
【補正の内容】
【００９６】
図１９、図２０および図２１は、１個の本体構造（単一本体構造）１９１０中に提供された３個のシステム試験プローブ１９０２、１９０４、１９０６と、１個の共通プローブ電極１９０８を示す。これらは、例えば、回転ツールを用いて洗浄可能なサンプル金属またはアロイの定義された衝突領域にすべて接触するように整列する。図１９の絵１９００によって示されるように、試験プローブおよび共通プローブ電極１９０２、１９０４、１９０６、１９０８は、１個の本体構造１９１０に収納されており、図２１の絵２１００に最も良く示されるように、独立して、対応するばねの配置１９０２ｂ、１９０４ｂ（完全には図示せず）、１９０６ｂ、１９０８ｂを介してばねが付けられている。
【手続補正４】
【補正対象書類名】明細書
【補正対象項目名】０１０９
【補正方法】変更
【補正の内容】
【０１０９】
複数の試験プローブと共通プローブ（例えば、図１４〜図１７および図１９〜図２１と関連して記載されるような）を保持するためのプローブカートリッジホルダー３１１２（例えば、図１９〜図２４と関連して記載されるような）は、携帯型のデバイス３１００にも組み込まれ、カートリッジホルダー３１１２の試験プローブは、すでに開示したように、場内の（オンボード）試験システムに接続される。